(57)【要約】【課題】歯茎に埋められた義歯の安定性が向上される脱着の便利さを図るための義歯位置指定装置を提供する。【解決手段】残り歯の上部に第一埋め孔が、義歯の底部に第二埋め孔が設けられており、第一埋め孔内に埋められた金属製人工歯根は、残り歯の上部に露出した側が円柱形のベアリングとなり、第二埋め孔内に弾力があるナイロン製カバーが嵌められ、その内部にカバー孔があり、そして、カバーの底部には、バー孔につなぎ、義歯の底部に露出したカバー口が設けられており、また、カバーの外壁には、カバー口につなぎ、延展性ありの溝部が複数も設けられる。それによって、カバー口は開いたり、閉じたりすることができ、カバー口からベアリングを、カバー孔内に差して、義歯を残り歯の上部に埋められるようにすると同時に、カバー口からカバー孔内のベアリングを取り、残り歯の上部にある義歯を取り外すことができる。【選択図】図１
0003134753.tif 000002
【実用新案登録請求の範囲】
【請求項１】
残り歯の上部に第一埋め孔が、義歯の底部に第二埋め孔が設けられており、第一埋め孔内に埋められた金属製人工歯根は、残り歯の上部に露出した側が円柱形のベアリングとなり、第二埋め孔内に弾力があるナイロン製カバーがあり、その内部にカバー孔が設けられる脱着の便利さを図るための義歯位置指定装置であり、カバーはナイロンで作られた弾力性があるものであり、また、カバーの外壁にカバー口につなぎ、延展性ありの溝部が複数も設けられることにより、カバー口からベアリングを、カバー孔内に差して、義歯を残り歯の上部に埋められるようになると同時に、カバー口からカバー孔内のベアリングを取り、残り歯上部の義歯を取り外すことができることを特徴とする脱着の便利さを図るための義歯位置指定装置。
【請求項２】
義歯は、単一の義歯又は複数に並べるようになる義歯であることを特徴とする請求項１に記載の義歯位置指定装置。
【請求項３】
カバーの外壁には、第二埋め孔内に埋める安定性を向上させるための錐面が設けられることを特徴とする請求項１に記載の義歯位置指定装置。
【考案の詳細な説明】
【技術分野】
【０００１】
本考案は、義歯位置指定装置にかかわり、特に義歯用人工歯根の位置を指定し、人工歯根の上にカバーが設けられることにより、義歯の位置を指定する技術である。
【背景技術】
【０００２】
人の口腔の正常な歯は、歯周病や外力の衝撃などの原因で、歯が抜けたり、なくなったりすることが起きる。一般臨床の歯抜け例に掲示されたように、歯が一本や二本だけ抜けた場合があり、健康な歯が少ししか残されない、又は全部なくなった場合もあるが、このような抜け歯の場合は、物を食べたり、噛んだりする不便さを避けるため、歯科に人工義歯（即ち入れ歯）を埋めてもらい、まとまった歯列を作らなければならない。一般的な人工義歯は、固定式と脱着式の二種類がある。固定式義歯とは、自ら取り外すことができない入れ歯のことをいい、脱着式義歯とは、自ら取り外したり装着したりすることができる入れ歯のことをいう。歯が一本や二本だけない場合は、抜け歯のところに固定式義歯を埋めることが出来るが、健康な歯がわずかで、または全部なくなった場合は、脱着式義歯を埋めなければならない。
【０００３】
既存の固定式義歯には、人工歯冠及ブリッジがあるが、人工歯冠とは、患者に残り歯（残された人工歯冠又は歯根）がある場合、残り歯の支えで人工歯冠を被ることをいい、ブリッジとは、歯が全部抜けられ場合、近接する、少なくとも二本の歯の支えで、ブリッジ状の義歯を掛けることをいう。上述のように、残り歯に固定式義歯を装着するやりかたは、現在の技術としては、義歯が金属製人工歯根によって、残り歯に固定される装着方法があるが、残り歯の上に埋められた前記金属製人工歯根は、残り歯の上部に露出した側が円柱形のベアリングとなり、義歯の底部に硬いプスチックで作られたカバーが使われ、義歯の底部向きに開いたカバー口があり、また、カバー内には、カバー口につなぐカバー孔がある。それによって、義歯が残り歯の上部に埋められ、ベアリングを、カバー口からカバー孔内に差して、義歯を残り歯の上部に埋めるようにしたり、義歯を残り歯の上部から自由に取り外したりすることができる。
【０００４】
上述の従来の技術では、義歯の底部に埋められた、硬いプラスチック製カバーは、義歯が何回も残り歯の上部から取り外されたり、装着されたりすることにより、カバーのカバー口が金属ベアリングの磨耗で生じるカバー口の拡大や変形が起こり、残り歯の上部に埋められた義歯の安定性がよくないという問題点があり、それを改善しなければならない。
【考案の開示】
【考案が解決しようとする課題】
【０００５】
本考案の目的は、脱着の便利さを図るための義歯位置指定装置を提供し、特に耐摩耗性、弾力性がある材料で作られた義歯が、残り歯の上部に埋める結合部品のことである。
【課題を解決するための手段】
【０００６】
上述の目的を達成させるために、本考案は脱着の便利さを図るための義歯位置指定装置を提供しており、残り歯の上部に第一埋め孔が、義歯の底部に第二埋め孔が設けられており、第一埋め孔内に埋められた金属製人工歯根は、残り歯の上部に露出した側が円柱形のベアリングとなり、第二埋め孔内に弾力があるナイロン製カバーが嵌められ、その内部にカバー孔があり、そして、カバーの底部にカバー孔につなぎ、義歯の底部に露出したカバー口が設けられる前記義歯位置指定装置であり、カバーはナイロンで作られた弾力性があり、カバーの外壁にカバー口につなぎ、延展性ありの溝部が複数も設けられることによって、カバー口は開いたり、閉じたりすることができるようになり、カバー口からベアリングを、カバー孔内に差して、義歯を残り歯の上部に埋められるようにすると同時に、カバー口からカバー孔内のベアリングを取り、残り歯の上部にある義歯を取り外すことができ、歯茎に埋められた義歯の安定性が向上されることを特徴とする前記義歯位置指定装置である。
【０００７】
そのほか、本考案において、前記義歯は、単一の義歯又は複数に並べるようになる義歯であり、前記カバーの外壁には、第二埋め孔内に埋める安定性を向上させるための錐面が設けられることを特徴とする前記義歯位置指定装置である。
本考案を詳しく説明するため、好適な実施例図を参照しながら、その実施形態について、詳しく説明していく。
【考案を実施するための最良の形態】
【０００８】
まず、図１は、本考案である脱着の便利さを図るための義歯位置指定装置の立体分解図だが、図２、図３と図５を合わせて参照するが、本考案は、歯茎１の残り歯２（ここで、歯根をいう）の上部に第一埋め孔２１が、義歯３の底部に第二埋め孔３１が設けられており、第一埋め孔２１内に埋られた金属製人工歯根４は、残り歯２の上部に露出した側が円柱形ベアリング４１となり、第二埋め孔３１内にカバー５が嵌められ、その内部にカバー孔５３があり、そして、カバー５の底部にカバー孔５３につなぎ、義歯３の底部に露出したカバー口５１が設けられている。
【０００９】
上述の実施環境のもとで、本考案では、カバー５の外壁にカバー口５１につなぎ、延展性ありの溝部５２（図１、図３と図５に示すように）が複数設けられ、カバー５はナイロン材料（ＮＹＬＯＮ）で作られた弾力性があるものである。それにより、カバー口５１は開いたり、閉じたりすることができる。
【００１０】
そのうえ、前記人工歯根４が、抜け歯がある歯茎１の残り歯２に埋める前に、前記カバー５を、人工歯根４のベアリング４１上に被らせて、ベアリング４１をカバー５のカバー孔５３内に収めるようにする、より具体的な実施例では、本考案の前記義歯は単一の義歯３ａ（図７）、又は複数に並べるようになる義歯３（図８）であり、前記カバー５の外壁には、第二埋め孔３１内に埋める安定性を向上させるための錐面５４（図１と図３）が設けられている。
【００１１】
上述の組み合わせ部品により、本考案が実施例に使われるものだが、特に、歯科医師が患者の残り歯２の上部に第一埋め孔２１を作ったとき（図４に示すように）は、まず、カバー５付きの人工歯根４を第一埋め孔２１内に差し入れて、それから、義歯３を残り歯２の上部に埋めるようにして、カバー５が第二埋め孔３１内を覆い、そこに嵌めるようになる（図５）。その間、カバー５は弾力があるものであり、カバー５を第二埋め孔３１上に嵌めさせるようにする外力の圧迫で、カバー５が圧迫され、第二埋め孔３１内に嵌められるようになる。その後、患者が義歯３を歯茎１上から取る場合、義歯３を残り歯２の上部から直接に取り外す（図６）ことができるが、そこで、ベアリング４１がカバー口５１をカバー５から抜き出される。ベアリング４１は、カバー孔５３内から抜き出され、カバー口５１に圧迫している間に、カバー口５１は自身の弾力性と複数の溝部５２の延展性により、カバー口５１を広げ、カバー孔５３内のベアリング４１を解放させるようにするので、ベアリング４１がうまくカバー口５１から抜けるようになり、カバー口５１は、ベアリング４１が通ったあと、閉じるようになる。それと同時に、カバー５はその自身の弾力性、及び錐面５４から第二埋め孔３１内  に圧迫するため（図３参照）、ベアリング４１の引っ張りにより、義歯３から抜けることはない。
【００１２】
また、患者が義歯３をあらためて歯茎１に埋める場合、義歯３を残り歯２の上部（図６）に直接に埋めることができるが、そこで、ベアリング４１がカバー口５１に差して、カバー孔５３内に嵌めるようになる。ベアリング４１が差しこまれ、カバー口５１に圧迫している間に、カバー口５１は同じく、自身の弾力性と複数の溝部５２の延展性により、カバー口５１を広げ、ベアリング４１をカバー孔５３内に入らせるようにし、また、カバー口５１はベアリング４１が通ったあと、閉じるようになる。このように、耐摩耗性があり、弾力性がよいナイロン材料で作られた義歯３で、残り歯２の上部のカバー５に使うようにし、また、複数の溝部５２の延展性で、カバー口５１を開いたり閉じたりするようにすることによって、カバー口５１からベアリング４１をカバー孔５３内に差し込み、義歯３を残り歯２の上部に嵌められるようにし、そして、カバー口５１からカバー孔５３内のベアリング４１を取り、残り歯２の上部にある義歯３を、カバー口５１からベアリング４１を何回も差し込んだり、取り外したりしても、カバー５作りのナイロン材料の耐摩耗性、及びカバー口５１が開いたり、閉じたりすることにより、カバー口５１は金属ベアリング４１の摩損があっても、変形しないし、更に歯茎１に埋まられた義歯３の安定性が向上させるのである。
【００１３】
上述は、本考案の好適な実施例を説明するための内容であり、本考案の登録請求範囲を制限するものではなく、本考案に掲示されるコンセプトや考えで、改造や変更を行って作られたものは、すべて本考案に含まれるものとする。
【図面の簡単な説明】
【００１４】
【図１】本考案の立体分解図である。
【図２】本考案の人工歯根のフロント図である。
【図３】本考案のカバーの断面図である。
【図４】本考案の実施状態図である。
【図５】本考案のもう一つの実施状態図である。
【図６】本考案のほかの実施状態図である。
【図７】本考案の義歯の断面図である。
【図８】本考案のもう一つの義歯の断面図である。
【符号の説明】
【００１５】
１      歯茎
２      残り歯
２１    第一埋め孔
３      義歯
３ａ    義歯
３１    第二埋め孔
４      人工歯根
４１    ベアリング
５      カバー
５１    カバー口
５２    溝部
５３    カバー孔
５４    錐面
【図１】
0003134753.tif 000003
【図２】
0003134753.tif 000004
【図３】
0003134753.tif 000005
【図４】
0003134753.tif 000006
【図５】
0003134753.tif 000007
【図６】
0003134753.tif 000008
【図７】
0003134753.tif 000009
【図８】
0003134753.tif 000010